(57)【要約】【課題】複数の通信方式の通信サービスを行う場合に、呼び出しエリアを適切に登録することを可能とする。【解決手段】ＸＧＰによる通信サービスを行うＸＧＰ基地局１Ａは、複数のＰＨＳ呼び出しエリアのうち、当該ＸＧＰ基地局１Ａに最も近いＰＨＳ呼び出しエリアのＩＤを記憶しておく。更に、ＸＧＰ基地局１Ａは、ＸＧＰによる通信サービスを利用して通信中の無線端末の接続先が他のＸＧＰ基地局からＸＧＰ基地局１Ａに切り替わった場合に、記憶しているＰＨＳ呼び出しエリアのＩＤを、無線端末が存在する可能性が高いＰＨＳ呼び出しエリアのＩＤとして、ＰＨＳ位置登録サーバへ送信する。【選択図】図４
2010130149.tif 000002
【特許請求の範囲】
【請求項１】
所定の配置の複数の第１呼び出しエリアが設定される第１通信方式と、前記複数の第１呼び出しエリアとは異なる配置の複数の第２呼び出しエリアが設定される第２通信方式とにより、無線端末に対して通信サービスを行う無線通信システムであって、
前記第１通信方式による通信サービスを行う無線基地局と、
前記無線端末への着信時の呼び出しエリアとしての前記第２呼び出しエリアの識別情報を登録する登録装置と
を備え、
前記無線基地局は、前記複数の第２呼び出しエリアのうち、自無線基地局に最も近いものとして定められた前記第２呼び出しエリアの識別情報を記憶する第１記憶部と、
前記第１通信方式による通信サービスを利用して通信中の前記無線端末の接続先が他の無線基地局から自無線基地局に切り替わった場合に、前記第１記憶部に記憶された前記第２呼び出しエリアの識別情報を前記登録装置へ送信する送信部と
を備え、
前記登録装置は、
前記無線基地局からの前記第２呼び出しエリアの識別情報を受信する受信部と、
前記受信部により受信された前記第２呼び出しエリアの識別情報を記憶する第２記憶部と
を備える無線通信システム。
【請求項２】
所定の配置の複数の第１呼び出しエリアが設定される第１通信方式と、前記複数の第１呼び出しエリアとは異なる配置の複数の第２呼び出しエリアが設定される第２通信方式とにより、無線端末に対して通信サービスを行う無線通信システムに構成され、前記第１通信方式による通信サービスを行う無線基地局であって、
前記複数の第２呼び出しエリアのうち、自無線基地局に最も近いものとして定められた前記第２呼び出しエリアの識別情報を記憶する記憶部と、
前記第１通信方式による通信サービスを利用して通信中の前記無線端末の接続先が他の無線基地局から自無線基地局に切り替わった場合に、前記記憶部に記憶された前記第２呼び出しエリアの識別情報を、前記無線端末への着信時の呼び出しエリアとしての前記第２呼び出しエリアの識別情報を登録する登録装置へ送信する送信部と
を備える無線基地局。
【請求項３】
前記送信部によって送信された前記第２呼び出しエリアの識別情報を、前記無線端末へ通知する通知部を備える請求項２に記載の無線基地局。
【請求項４】
前記無線端末が存在する呼び出しエリアとして、前記無線端末に記憶されている前記第２呼び出しエリアの識別情報を取得する取得部を備え、
前記送信部は、前記取得部により取得された前記第２呼び出しエリアの識別情報と、前記記憶部に記憶された前記第２呼び出しエリアの識別情報とが異なる場合にのみ、前記記憶部に記憶された前記第２呼び出しエリアの識別情報を、前記登録装置へ送信する請求項３に記載の無線基地局。
【請求項５】
前記第２通信方式による通信サービスを行う無線基地局である第２通信方式用無線基地局からの、前記第２通信方式用無線基地局に対応する前記第２呼び出しエリアの識別情報を受信する受信部を備え、
前記記憶部は、前記受信部により受信された前記第２呼び出しエリアの識別情報を記憶する請求項２乃至４の何れかに記載の無線基地局。
【請求項６】
前記記憶部は、前記受信部により複数の前記第２呼び出しエリアの識別情報が受信された場合に、受信時の電力が最も大きい前記第２呼び出しエリアの識別情報を記憶する請求項５に記載の無線基地局。
【請求項７】
所定の配置の複数の第１呼び出しエリアが設定される第１通信方式と、前記複数の第１呼び出しエリアとは異なる配置の複数の第２呼び出しエリアが設定される第２通信方式とにより、無線端末に対して通信サービスを行う無線通信システムに構成され、前記第１通信方式による通信サービスを行う無線基地局における通信制御方法であって、
前記無線基地局が、前記複数の第２呼び出しエリアのうち、自無線基地局に最も近いものとして定められた前記第２呼び出しエリアの識別情報を記憶部に記憶するステップと、
前記無線基地局が、前記第１通信方式による通信サービスを利用して通信中の前記無線端末の接続先が他の無線基地局から自無線基地局に切り替わった場合に、前記記憶部に記憶された前記第２呼び出しエリアの識別情報を、前記無線端末への着信時の呼び出しエリアとしての前記第２呼び出しエリアの識別情報を登録する登録装置へ送信するステップと
を備える通信制御方法。
【発明の詳細な説明】
【技術分野】
【０００１】
本発明は、所定の配置の複数の第１呼び出しエリアが設定される第１通信方式と、複数の第１呼び出しエリアとは異なる配置の複数の第２呼び出しエリアが設定される第２通信方式とにより、通信サービスを行う無線通信システム、当該通信システムにおける無線基地局、及び、当該無線基地局における通信制御方法に関する。
【背景技術】
【０００２】
セルラー方式の無線通信システムは、サービスエリアが各無線基地局によって提供される複数のセルに分割されている。このような構成の無線通信システムでは、位置登録サーバが、無線端末からの位置登録要求に応じて、当該無線端末の位置を登録する。登録される位置は、無線端末が存在するセルや、当該周辺のセルによって構成される呼び出しエリアである。更に、無線端末への着信時には、交換機は、位置登録サーバに登録された呼び出しエリアを構成するセルを提供する無線基地局にのみ、無線端末への呼び出しを要求する（例えば、特許文献１参照）。
【０００３】
また、２．５ＧＨｚの周波数帯を利用する新たなセルラー方式である次世代ＰＨＳ（Next Generation Personal Handy-phone System：ＸＧＰ）の通信サービスの開始が予定されている。更には、ＸＧＰの通信サービスと、１．９ＧＨｚの周波数帯を利用する既存のセルラー方式であるＰＨＳの通信サービスとの双方の提供も検討されている。
【０００４】
無線通信システムが、このようなＸＧＰの通信サービスとＰＨＳの通信サービスとの双方を行う場合、位置登録サーバに位置が登録された無線端末は、一方の通信サービスを利用して通信中の場合でも、他方の通信サービスにおける着信を受けることが可能である。
【特許文献１】特開２００６−２１０９８７号公報
【発明の開示】
【発明が解決しようとする課題】
【０００５】
しかしながら、ＸＧＰの通信サービスとＰＨＳの通信サービスとの双方を行う無線通信システムでは、以下のような問題がある。
【０００６】
具体的には、無線端末は、一方の通信サービスを利用して通信を行いつつ移動する場合、他方の通信サービスにおける呼び出しエリアを跨ぐ場合がある。しかし、このような場合、無線端末は、呼び出しエリアを跨いだことを認識することができない。このため、他方の通信サービスにおける位置登録サーバは、当該他方の通信サービスにおける新たな呼び出しエリアを登録することができない。
【０００７】
この結果、他方の通信サービスにおける位置登録サーバに登録されている呼び出しエリアと、無線端末が実際に存在する呼び出しエリアとが一致しなくなる。このため、無線端末が、他方の通信サービスにおいて呼び出しエリアを跨いだ後に、他方の通信サービスにおいて、無線端末に対する着信が発生した場合、交換機は、無線端末が存在しない呼び出しエリアに対応する無線基地局に対して、呼び出しを要求することになり、無線端末は着信を受けることができなくなる。
【０００８】
上記問題点に鑑み、本発明は、複数の通信方式の通信サービスを行う場合に、呼び出しエリアを適切に登録することが可能な無線通信システム、無線基地局、及び、通信制御方法を提供することを目的とする。
【課題を解決するための手段】
【０００９】
上述した課題を解決するために、本発明は以下のような特徴を有している。本発明の第１の側面は、所定の配置の複数の第１呼び出しエリアが設定される第１通信方式と、前記複数の第１呼び出しエリアとは異なる配置の複数の第２呼び出しエリアが設定される第２通信方式とにより、無線端末（無線端末３）に対して通信サービスを行う無線通信システム（無線通信システム１０）であって、前記第１通信方式による通信サービスを行う無線基地局（ＸＧＰ基地局１Ａ）と、前記無線端末への着信時の呼び出しエリアとしての前記第２呼び出しエリアの識別情報を登録する登録装置（ＰＨＳ位置登録サーバ３４）とを備え、前記無線基地局は、前記複数の第２呼び出しエリアのうち、自無線基地局に最も近いものとして定められた前記第２呼び出しエリアの識別情報を記憶する第１記憶部（記憶部１０３）と、前記第１通信方式による通信サービスを利用して通信中の前記無線端末の接続先が他の無線基地局から自無線基地局に切り替わった場合に、前記第１記憶部に記憶された前記第２呼び出しエリアの識別情報を前記登録装置へ送信する送信部（呼び出しエリアＩＤ送信部１６４）とを備え、前記登録装置は、前記無線基地局からの前記第２呼び出しエリアの識別情報を受信する受信部（呼び出しエリアＩＤ受信部２５２）と、前記受信部により受信された前記第２呼び出しエリアの識別情報を記憶する第２記憶部（記憶部２０３）とを備えることを要旨とする。
【００１０】
このような無線通信システムによれば、第１通信方式による通信サービスを行う無線基地局は、複数の第２呼び出しエリアのうち、自無線基地局に最も近いものとして定められた第２呼び出しエリアの識別情報を記憶しておく。更に、無線基地局は、第１通信方式による通信サービスを利用して通信中の無線端末が移動することによって、当該無線端末の接続先が他の無線基地局から自無線基地局に切り替わった場合に、記憶している第２呼び出しエリアの識別情報を、無線端末が存在する可能性が高い第２呼び出しエリアの識別情報として、登録装置へ送信する。そして、登録装置は、無線基地局からの第２呼び出しエリアの識別情報を受信し、記憶する。
【００１１】
つまり、無線端末が第１通信方式による通信サービスを利用して通信中の場合であっても、登録装置は、無線端末が存在する可能性の高い第２呼び出しエリアの識別情報を記憶することができる。更には、第２通信方式の通信サービスにおいて、無線端末に対する着信が発生した場合、交換機は、無線端末が存在する可能性の高い第２呼び出しエリアに対応する無線基地局に対して、呼び出しを要求することができるようになり、無線端末は、着信を受ける可能性が高まる。
【００１２】
本発明の第２の側面は、所定の配置の複数の第１呼び出しエリアが設定される第１通信方式と、前記複数の第１呼び出しエリアとは異なる配置の複数の第２呼び出しエリアが設定される第２通信方式とにより、無線端末に対して通信サービスを行う無線通信システムに構成され、前記第１通信方式による通信サービスを行う無線基地局（ＸＧＰ基地局１Ａ）であって、前記複数の第２呼び出しエリアのうち、自無線基地局に最も近いものとして定められた前記第２呼び出しエリアの識別情報を記憶する記憶部（記憶部１０３）と、前記第１通信方式による通信サービスを利用して通信中の前記無線端末の接続先が他の無線基地局から自無線基地局に切り替わった場合に、前記記憶部に記憶された前記第２呼び出しエリアの識別情報を、前記無線端末への着信時の呼び出しエリアとしての前記第２呼び出しエリアの識別情報を登録する登録装置へ送信する送信部（呼び出しエリアＩＤ送信部１６４）とを備えることを要旨とする。
【００１３】
本発明の第３の側面は、前記送信部によって送信された前記第２呼び出しエリアの識別情報を、前記無線端末へ通知する通知部（呼び出しエリアＩＤ通知部１６６）を備えることを要旨とする。
【００１４】
このような無線基地局によれば、無線端末は、自無線端末が存在する可能性の高い第２呼び出しエリアを認識することができる。
【００１５】
本発明の第４の側面は、前記無線基地局は、前記無線端末が存在する呼び出しエリアとして、前記無線端末に記憶されている前記第２呼び出しエリアの識別情報を取得する取得部（呼び出しエリアＩＤ受信部１５４）を備え、前記送信部は、前記取得部により取得された前記第２呼び出しエリアの識別情報と、前記記憶部に記憶された前記第２呼び出しエリアの識別情報とが異なる場合にのみ、前記記憶部に記憶された前記第２呼び出しエリアの識別情報を、前記登録装置へ送信する。
【００１６】
無線基地局が記憶している第２呼び出しエリアの識別情報と、無線端末が記憶している第２呼び出しエリアの識別情報とが一致する場合は、無線基地局は、既に、記憶している第２呼び出しエリアの識別情報を登録装置へ送信済みであるとともに、無線端末へ通知済みであり、再度の登録装置への送信は必要ない。したがって、無線基地局は、自無線基地局が記憶している第２呼び出しエリアの識別情報と、無線端末が記憶している第２呼び出しエリアの識別情報とが異なる場合にのみ、自無線基地局が記憶している第２呼び出しエリアの識別情報を登録装置へ送信することで、不要な送信を減らし、処理負担の軽減と、回線の有効利用とを図ることが可能となる。
【００１７】
本発明の第５の側面は、前記無線基地局は、前記第２通信方式による通信サービスを行う無線基地局である第２通信方式用無線基地局からの、前記第２通信方式用無線基地局に対応する前記第２呼び出しエリアの識別情報を受信する受信部（呼び出しエリアＩＤ受信部１５４）を備え、前記記憶部は、前記受信部により受信された前記第２呼び出しエリアの識別情報を記憶することを要旨とする。
【００１８】
このような無線基地局は、自無線基地局周辺の第２呼び出しエリアの識別情報を受信、記憶することが可能となる。
【００１９】
本発明の第６の側面は、前記記憶部は、前記受信部により複数の前記第２呼び出しエリアの識別情報が受信された場合に、受信時の電力が最も大きい前記第２呼び出しエリアの識別情報を記憶することを要旨とする。
【００２０】
無線基地局によって受信される第２呼び出しエリアの識別情報のうち、無線基地局に最も近い第２呼び出しエリアに対応する第２通信方式用無線基地局からの第２呼び出しエリアの識別情報は、受信電力が最も大きいと想定される。したがって、無線基地局は、複数の第２呼び出しエリアの識別情報が受信された場合に、受信時の電力が最も大きい第２呼び出しエリアの識別情報を記憶することにより、当該無線基地局に最も近い第２呼び出しエリアの識別情報を記憶することが可能となる。
【００２１】
本発明の第７の側面は、所定の配置の複数の第１呼び出しエリアが設定される第１通信方式と、前記複数の第１呼び出しエリアとは異なる配置の複数の第２呼び出しエリアが設定される第２通信方式とにより、無線端末に対して通信サービスを行う無線通信システムに構成され、前記第１通信方式による通信サービスを行う無線基地局における通信制御方法であって、前記無線基地局が、前記複数の第２呼び出しエリアのうち、自無線基地局に最も近いものとして定められた前記第２呼び出しエリアの識別情報を記憶部に記憶するステップと、前記無線基地局が、前記第１通信方式による通信サービスを利用して通信中の前記無線端末の接続先が他の無線基地局から自無線基地局に切り替わった場合に、前記記憶部に記憶された前記第２呼び出しエリアの識別情報を、前記無線端末への着信時の呼び出しエリアとしての前記第２呼び出しエリアの識別情報を登録する登録装置へ送信するステップとを備えることを要旨とする。
【発明の効果】
【００２２】
本発明によれば、複数の通信方式の通信サービスを行う場合に、呼び出しエリアを適切に登録することが可能となる。
【発明を実施するための最良の形態】
【００２３】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００２４】
（１）無線通信システムの構成
まず、本発明の実施形態に係る無線通信システムの構成について、（１．１）無線通信システムの各部の配置及び全体概略構成、（１．２）無線基地局の構成、（１．３）位置登録サーバの構成、（１．４）無線端末の構成の順に説明する。
【００２５】
（１．１）無線通信システムの各部の配置及び全体概略構成
図１は、本発明の実施形態に係る無線通信システム１０の各部の配置を示す図である。
【００２６】
図１に示す無線通信システム１０は、第１通信方式としてのＸＧＰと、第２通信方式としてのＰＨＳとにより、無線端末３に対して通信サービスを行う。この無線通信システム１０は、ＸＧＰによる通信サービスを行うＸＧＰ基地局１Ａ及びＸＧＰ基地局１Ｂと、ＰＨＳによる通信サービスを行うＰＨＳ基地局２Ａ、ＰＨＳ基地局２Ｂ及びＰＨＳ基地局２Ｃとを含む。
【００２７】
ＸＧＰ基地局１ＡはＸＧＰセル５Ａを提供する。ＸＧＰ基地局１ＢはＸＧＰセル５Ｂを提供する。ＸＧＰセル５ＡとＸＧＰセル５Ｂとによって、ＸＧＰによる通信サービスにおける呼び出しエリア（ＸＧＰ呼び出しエリア）１１が構成される。ＰＨＳ基地局２ＡはＰＨＳセル７Ａを提供する。ＰＨＳ基地局２ＢはＰＨＳセル７Ｂを提供する。ＰＨＳセル７ＡとＰＨＳセル７Ｂとによって、ＰＨＳによる通信サービスにおける呼び出しエリア２１が構成される。ＰＨＳ基地局２ＣはＰＨＳセル７Ｃを提供する。ＰＨＳセル７ＣによってＰＨＳ呼び出しエリア２２が構成される。
【００２８】
ＸＧＰ呼び出しエリア及びＰＨＳ呼び出しエリアは、それぞれ識別情報としてのＩＤが付与されている。図１では、ＸＧＰ呼び出しエリアの１１のＩＤは「１１」、ＰＨＳ呼び出しエリア２１のＩＤは「２１」、ＰＨＳ呼び出しエリア２２のＩＤは「２２」である。
【００２９】
図２は、本発明の実施形態に係る無線通信システム１０の全体概略構成図である。
【００３０】
図２に示すように、無線通信システム１０は、上述したＸＧＰ基地局１Ａ及びＸＧＰ基地局１Ｂと、ＰＨＳ基地局２Ａ、ＰＨＳ基地局２Ｂ及びＰＨＳ基地局２Ｃとに加えて、ＸＧＰセンタ装置２３、ＸＧＰ位置登録サーバ２４、有線回線３０、ＰＨＳセンタ装置３３及びＰＨＳ位置登録サーバ３４を含む。
【００３１】
ＸＧＰセンタ装置２３は、交換機であり、ＸＧＰ基地局１Ａ及びＸＧＰ基地局１Ｂを接続する。ＸＧＰセンタ装置２３は、ＸＧＰ基地局１Ａ及びＸＧＰ基地局１Ｂを制御する。ＸＧＰ位置登録サーバ２４は、ＸＧＰセンタ装置２３に接続される。ＸＧＰ位置登録サーバ２４は、無線端末３に対してＸＧＰの通信サービスを提供する際に、当該無線端末３への着信時に呼び出しエリアとなるＸＧＰ呼び出しエリアの識別情報（ＸＧＰ呼び出しエリアＩＤ）を登録する。
【００３２】
ＰＨＳセンタ装置３３は、交換機であり、ＰＨＳ基地局２Ａ、ＰＨＳ基地局２Ｂ及びＰＨＳ基地局２Ｃを接続するとともに、有線回線３０を介して、ＸＧＰ基地局１Ａ及びＸＧＰ基地局１Ｂを接続する。ＰＨＳセンタ装置３３は、ＰＨＳ基地局２Ａ、ＰＨＳ基地局２Ｂ及びＰＨＳ基地局２Ｃを制御する。ＰＨＳ位置登録サーバ３４は、ＰＨＳセンタ装置３３に接続される。ＰＨＳ位置登録サーバ３４は、無線端末３に対してＰＨＳの通信サービスを提供する際に、当該無線端末３への着信時の呼び出しエリアとなるＰＨＳ呼び出しエリアの識別情報（ＰＨＳ呼び出しエリアＩＤ）を登録する。
【００３３】
（１．２）無線基地局の構成
次に、ＸＧＰ基地局１Ａの構成について、（１．２．１）ＸＧＰ基地局１Ａの概略構成、（１．２．２）ＸＧＰ基地局１Ａの詳細構成の順に説明する。なお、ＸＧＰ基地局１Ｂ及びＸＧＰ基地局１Ｃは、ＸＧＰ基地局１Ａと同様の構成であるため、その説明は省略する。
【００３４】
（１．２．１）ＸＧＰ基地局１Ａの概略構成
図３は、ＸＧＰ基地局１Ａの概略構成図である。図３に示すように、ＸＧＰ基地局１Ａは、制御部１０２、記憶部１０３、有線通信部１０４、無線通信部１０６及びアンテナ１０８を含む。
【００３５】
制御部１０２は、例えばＣＰＵによって構成され、ＸＧＰ基地局１Ａが具備する各種機能を制御する。記憶部１０３は、例えばメモリによって構成され、ＸＧＰ基地局１Ａにおける制御などに用いられる各種情報を記憶する。
【００３６】
有線通信部１０４は、ＸＧＰセンタ装置２３に接続されるとともに、上述した有線回線３０を介して、ＰＨＳセンタ装置３３に接続される。有線通信部１０４は、ＸＧＰセンタ装置２３を介して、ＸＧＰ位置登録サーバ２４との間で通信を行う。また、有線通信部１０４は、有線回線３０及びＰＨＳセンタ装置３３を介して、ＰＨＳ位置登録サーバ３４との間で通信を行う。
【００３７】
無線通信部１０６は、アンテナ１０８を介して、無線端末３に無線信号を送信するとともに、当該無線端末３からの無線信号を受信する。また、無線通信部１０６は、アンテナ１０８を介して、ＰＨＳ基地局２Ａ乃至２Ｃからの無線信号を受信する。
【００３８】
（１．２．２）ＸＧＰ基地局１Ａの詳細構成
次に、ＸＧＰ基地局１Ａの詳細構成、具体的には、制御部１０２の機能ブロック構成について説明する。図４は、ＸＧＰ基地局１Ａの制御部１０２の機能ブロック構成図である。
【００３９】
図４に示すように、制御部１０２は、呼び出しエリアＩＤ受信部１５４、受信電力測定部１５６、書き込み部１５８、ハンドオーバ判定部１６０、読み出し部１６２、呼び出しエリアＩＤ送信部１６４及び呼び出しエリアＩＤ通知部１６６を含む。
【００４０】
周辺のＰＨＳ基地局２Ａ乃至２Ｃは、自身に対応するＰＨＳ呼び出しエリアのＩＤ、換言すれば、自身が提供するＰＨＳセルによって構成されるＰＨＳ呼び出しエリアのＩＤを送信する。
【００４１】
呼び出しエリアＩＤ受信部１５４は、ＰＨＳ基地局２Ａ乃至２ＣからのＰＨＳ呼び出しエリアＩＤを受信する。
【００４２】
受信電力測定部１５６は、ＰＨＳ基地局２Ａ乃至２ＣからのＰＨＳ呼び出しエリアＩＤの受信時の電力を測定する。
【００４３】
書き込み部１５８は、ＰＨＳ基地局２Ａ乃至２ＣからのＰＨＳ呼び出しエリアＩＤのうち、受信時の電力が最も大きいＰＨＳ呼び出しエリアＩＤを記憶部１０３に書き込み、記憶させる。
【００４４】
ハンドオーバ判定部１６０は、ＸＧＰによる通信サービスを利用して通信中の無線端末３の接続先が他のＸＧＰ基地局からＸＧＰ基地局１Ａに切り替わったか否か、換言すれば、他のＸＧＰ基地局からＸＧＰ基地局１Ａへのハンドオーバが発生したか判定する。
【００４５】
他のＸＧＰ基地局からＸＧＰ基地局１Ａへのハンドオーバが発生した場合、読み出し部１６２は、記憶部１０３に記憶されたＰＨＳ呼び出しエリアＩＤを読み出す。
【００４６】
呼び出しエリアＩＤ送信部１６４は、読み出し部１６２によって読み出されたＰＨＳ呼び出しエリアＩＤを、有線回線３０とＰＨＳセンタ装置３３とを介して、ＰＨＳ位置登録サーバ３４へ送信する。また、他のＸＧＰ基地局からＸＧＰ基地局１Ａへのハンドオーバが発生したことに応じて、呼び出しエリアＩＤ送信部１６４は、ＸＧＰ基地局１Ａに対応するＸＧＰ呼び出しエリアＩＤ（ここでは、ＸＧＰ呼び出しエリアＩＤ「１１」）を、ＸＧＰセンタ装置２３を介してＸＧＰ位置登録サーバ２４へ送信する。ＸＧＰ呼び出しエリアＩＤは、記憶部１０３に記憶されている。
【００４７】
呼び出しエリアＩＤ送信部１６４によってＰＨＳ呼び出しエリアＩＤが送信された場合、呼び出しエリアＩＤ通知部１６６は、当該ＰＨＳ呼び出しエリアＩＤを、無線端末３へ送信する。
【００４８】
（１．３）位置登録サーバの構成
次に、ＰＨＳ位置登録サーバ３４の構成について、（１．３．１）ＰＨＳ位置登録サーバ３４の概略構成、（１．３．２）ＰＨＳ位置登録サーバ３４の詳細構成の順に説明する。
【００４９】
（１．３．１）ＰＨＳ位置登録サーバ３４の概略構成
図５は、ＰＨＳ位置登録サーバ３４の概略構成図である。図５に示すように、ＰＨＳ位置登録サーバ３４は、制御部２０２、記憶部２０３、有線通信部２０４を含む。
【００５０】
制御部２０２は、例えばＣＰＵによって構成され、ＰＨＳ位置登録サーバ３４が具備する各種機能を制御する。記憶部１０３は、例えばメモリによって構成され、ＰＨＳ位置登録サーバ３４における制御などに用いられる各種情報を記憶する。
【００５１】
有線通信部２０４は、ＰＨＳセンタ装置３３に接続される。有線通信部２０４は、ＰＨＳセンタ装置３３に接続される。有線通信部２０４は、ＰＨＳセンタ装置３３及び有線回線３０を介して、ＸＧＰ基地局１Ａ乃至１Ｃとの間で通信を行う。また、有線通信部２０４は、ＰＨＳセンタ装置３３を介して、ＰＨＳ基地局２Ａ乃至２Ｃとの間で通信を行う。
【００５２】
（１．３．２）ＰＨＳ位置登録サーバ３４の詳細構成
次に、ＰＨＳ位置登録サーバ３４の詳細構成、具体的には、制御部２０２の機能ブロック構成について説明する。図６は、ＰＨＳ位置登録サーバ３４の制御部２０２の機能ブロック構成図である。
【００５３】
図６に示すように、制御部２０２は、呼び出しエリアＩＤ受信部２５２及び書き込み部２５４を含む。
【００５４】
呼び出しエリアＩＤ受信部２５２は、ＰＨＳによる通信サービスを利用して通信中の無線端末３の接続先のＰＨＳ基地局が切り替わった場合、換言すれば、ＰＨＳ基地局２Ａ乃至２Ｃの何れかからＰＨＳ基地局２Ａ乃至２Ｃの他の何れかへのハンドオーバが発生した場合、ハンドオーバ先である、ＰＨＳ基地局２Ａ乃至２Ｃの他の何れかからのＰＨＳ呼び出しエリアＩＤを受信する。
【００５５】
また、呼び出しエリアＩＤ受信部２５２は、ＸＧＰによる通信サービスを利用して通信中の無線端末３の接続先のＸＧＰ基地局が切り替わった場合、換言すれば、ＸＧＰ基地局１Ａ及び１Ｂの一方からＸＧＰ基地局１Ａ及び１Ｂの他方へのハンドオーバが発生した場合、ハンドオーバ先である、ＸＧＰ基地局１Ａ及び１Ｂの他方からのＰＨＳ呼び出しエリアＩＤを受信する。
【００５６】
書き込み部２５４は、呼び出しエリアＩＤ受信部２５２により受信されたＰＨＳ呼び出しエリアＩＤを記憶部２０３に書き込み、記憶させる。
【００５７】
（１．４）無線端末の構成
（１．４．１）無線端末３の概略構成
図７は、無線端末３の概略構成図である。図７に示すように、無線端末３は、制御部３０２、記憶部３０３、デュアルバンド無線通信部３０６、アンテナ３０８を含む。
【００５８】
制御部３０２は、例えばＣＰＵによって構成され、無線端末３が具備する各種機能を制御する。記憶部３０３は、例えばメモリによって構成され、無線端末３における制御などに用いられる各種情報を記憶する。
【００５９】
デュアルバンド無線通信部３０６は、ＸＧＰによる通信サービスを利用した通信と、ＰＨＳによる通信サービスを利用した通信とを択一的に選択して、その選択した通信方式により通信を行う。
【００６０】
具体的には、デュアルバンド無線通信部３０６は、ＸＧＰによる通信サービスを利用した通信を行う場合には、アンテナ３０８を介して、ＸＧＰ基地局１Ａまたは１Ｂとの間で通信を行う。また、デュアルバンド無線通信部３０６は、ＰＨＳによる通信サービスを利用した通信を行う場合には、アンテナ３０８を介して、ＰＨＳ基地局２Ａ乃至２Ｃの何れかとの間で通信を行う。
【００６１】
但し、デュアルバンド無線通信部３０６は、ＸＧＰによる通信サービスを利用した通信を行っている間に、通信チャネルを用いる位置登録はできないが、ＰＨＳによる通信サービスにおける着信を制御チャネルで受けることが可能である。また、デュアルバンド無線通信部３０６は、ＰＨＳによる通信サービスを利用した通信を行っている間に、通信チャネルを用いる位置登録はできないが、ＸＧＰによる通信サービスにおける着信を制御チャネルで受けることが可能である。
【００６２】
（２）無線通信システムの動作
まず、ＸＧＰ基地局１ＡがＰＨＳ呼び出しエリアＩＤを取得する際の動作を説明する。
【００６３】
図８は、無線通信システム１０において、ＸＧＰ基地局１ＡがＰＨＳ呼び出しエリアＩＤを取得する際の動作を示すシーケンス図である。なお、ＸＧＰ基地局１ＢがＰＨＳ呼び出しエリアＩＤを取得する際にも、同様の動作を行う。
【００６４】
ＸＧＰ基地局１Ａが新たに設置されたような場合、ステップＳ１０１において、ＸＧＰ基地局１Ａは起動する。
【００６５】
ステップＳ１０２において、ＰＨＳ基地局２Ａ乃至２Ｃは、それぞれ対応するＰＨＳ呼び出しエリアＩＤをＸＧＰ基地局１Ａへ送信する。具体的には、ＰＨＳ基地局２Ａは、当該ＰＨＳ基地局２Ａによって提供されるＰＨＳセル７Ａによって構成されるＰＨＳ呼び出しエリア２１のＩＤ「２１」を送信する。ＰＨＳ基地局２Ｂは、当該ＰＨＳ基地局２Ｂによって提供されるＰＨＳセル７Ｂによって構成されるＰＨＳ呼び出しエリア２１のＩＤ「２１」を送信する。ＰＨＳ基地局２Ｃは、当該ＰＨＳ基地局２Ｃによって提供されるＰＨＳセル７Ｃによって構成されるＰＨＳ呼び出しエリア２２のＩＤ「２２」を送信する。なお、ＰＨＳ基地局２Ａ乃至２Ｃは、同一の送信電力でＰＨＳ呼び出しエリアＩＤを送信しているものとする。ＸＧＰ基地局１Ａは、これらＰＨＳ基地局２Ａ乃至２ＣからののＰＨＳ呼び出しエリアＩＤを受信する。
【００６６】
なお、ＸＧＰ基地局１Ａは、ステップＳ１０１における起動後に、必要に応じて、周辺にＰＨＳ呼び出しエリアＩＤ要求を送信してもよい。図１に示すように、ＸＧＰ基地局１Ａの周辺には、ＰＨＳ基地局２Ａ乃至２Ｃが設置されている。これらＰＨＳ基地局２Ａ乃至２Ｃは、ＸＧＰ基地局１ＡからのＰＨＳ呼び出しエリアＩＤ要求を受信する。そして、ＰＨＳ基地局２Ａ乃至２Ｃは、要求に応じて、それぞれ対応するＰＨＳ呼び出しエリアＩＤをＸＧＰ基地局１Ａへ送信する。
【００６７】
次に、ステップＳ１０３において、ＸＧＰ基地局１Ａは、ＰＨＳ基地局２Ａ乃至２ＣからのＰＨＳ呼び出しエリアＩＤの受信時の電力を測定する。
【００６８】
更に、ステップＳ１０４において、ＸＧＰ基地局１Ａは、受信時の電力が最大であるＰＨＳ呼び出しエリアＩＤを記憶部１０３に記憶する。
【００６９】
図１では、ＰＨＳ基地局２Ａ乃至２Ｃのうち、ＸＧＰ基地局１Ａに最も近いＰＨＳ基地局は、ＰＨＳ基地局２Ａである。また、上述のように、ＰＨＳ基地局２Ａ乃至２Ｃは、同一の送信電力でＰＨＳ呼び出しエリアＩＤを送信している。この場合、ＸＧＰ基地局１Ａにおける受信電力は、ＰＨＳ呼び出しエリア２１のＩＤ「２１」に対応するＰＨＳ基地局２Ａからの信号が最も大きい。したがって、ＸＧＰ基地局１Ａは、ＰＨＳ基地局２Ａ乃至２Ｃのうち、当該ＸＧＰ基地局１Ａに最も近いＰＨＳ基地局２ＡからのＰＨＳ呼び出しエリア２１のＩＤ「２１」を記憶部１０３に記憶することになる。
【００７０】
ＸＧＰ基地局１Ａが、当該ＸＧＰ基地局１Ａに最も近いＰＨＳ基地局２ＡからのＰＨＳ呼び出しエリア２１のＩＤ「２１」を記憶するということは、ＸＧＰ基地局１Ａに最も近いＰＨＳ呼び出しエリア（ＸＧＰ基地局１Ａが含まれるＰＨＳ呼び出しエリアも含む）がＰＨＳ呼び出しエリア２１であることを意味する。
【００７１】
次に、ＰＨＳ位置登録サーバ３４がＸＧＰ基地局１ＡからのＰＨＳ呼び出しエリアＩＤを登録する際の動作を説明する。
【００７２】
図９は、無線通信システム１０において、ＰＨＳ位置登録サーバ３４がＸＧＰ基地局１ＡからのＰＨＳ呼び出しエリアＩＤを登録する際の動作を示すシーケンス図である。なお、ＰＨＳ位置登録サーバ３４がＸＧＰ基地局１ＢからのＰＨＳ呼び出しエリアＩＤを登録する際にも、同様の動作を行う。
【００７３】
図１に示すように、無線端末３は、ＸＧＰによる通信サービスを利用して通信中であって、且つ、ＸＧＰ基地局１Ｂによって提供されるＸＧＰセル５Ｂ内からＸＧＰ基地局１Ａによって提供されるＸＧＰセル５Ａ内に向かって移動中であるものとする。この場合、無線端末３は、ＸＧＰ基地局１Ｂ及びＸＧＰ基地局１Ａからのパイロット信号を受信し、当該パイロット信号の受信電力を測定する。
【００７４】
無線端末３がＸＧＰセル５Ｂ内からＸＧＰセル５Ａ内に向かって移動すると、無線端末３において、ＸＧＰ基地局１Ｂからのパイロット信号の受信電力は、徐々に小さくなり、ＸＧＰ基地局１Ａからのパイロット信号の受信電力は、徐々に大きくなる。
【００７５】
そして、ＸＧＰ基地局１Ａからのパイロット信号の受信電力が、ＸＧＰ基地局１Ｂからのパイロット信号の受信電力よりも大きくなると、ステップＳ２０１において、無線端末３は、接続先をＸＧＰ基地局１ＢからＸＧＰ基地局１Ａに切り替えるためのハンドオーバ処理を開始する。
【００７６】
ステップＳ２０２において、無線端末３は、ＸＧＰ基地局１Ａに対して、位置登録要求を送信する。この位置登録要求には、無線端末３の記憶部３０３に記憶されているＰＨＳ呼び出しエリアのＩＤ（ここでは、ＰＨＳ呼び出しエリア２２のＩＤ「２２」）が含まれている。記憶部３０３に記憶されているＰＨＳ呼び出しエリアＩＤは、無線端末３が存在するＰＨＳ呼び出しエリアとして、当該無線端末３が認識しているＰＨＳ呼び出しエリアのＩＤである。また、位置登録要求には、無線端末３の識別情報である、端末ＩＤが含まれている。ＸＧＰ基地局１Ａは、無線端末３からの位置登録要求を受信する。
【００７７】
ステップＳ２０３において、ＸＧＰ基地局１Ａは、当該ＸＧＰ基地局１Ａに対応するＸＧＰ呼び出しエリアのＩＤ（ここでは、ＸＧＰ呼び出しエリア１１のＩＤ「１１」）と、ステップＳ２０２において受信された無線端末３の端末ＩＤとを、ＸＧＰ位置登録サーバ２４へ送信する。ＸＧＰ位置登録サーバ２４は、ＸＧＰ基地局１ＡからのＸＧＰ呼び出しエリア１１のＩＤ「１１」と、無線端末３の端末ＩＤとを受信する。
【００７８】
ステップＳ２０４において、ＸＧＰ位置登録サーバ２４は、ステップＳ２０３において受信された、ＸＧＰ呼び出しエリア１１のＩＤ「１１」と、無線端末３の端末ＩＤとを、不図示の記憶部に記憶する。これにより、無線端末３の接続先がＸＧＰ基地局１ＢからＸＧＰ基地局１Ａに切り替わり、ハンドオーバが終了する。
【００７９】
また、ステップＳ２０５において、ＸＧＰ基地局１Ａは、ステップＳ２０２において受信されたＰＨＳ呼び出しエリアＩＤと、記憶部１０３に記憶されているＰＨＳ呼び出しエリアＩＤとが不一致であるか否かを判定する。
【００８０】
ここでは、ステップＳ２０２において、ＸＧＰ基地局１Ａは、ＰＨＳ呼び出しエリア２２のＩＤ「２２」を受信している。一方、図８のステップＳ１０４において、ＸＧＰ基地局１Ａは、ＰＨＳ呼び出しエリア２１のＩＤ「２１」を記憶している。したがって、ステップＳ２０２において受信されたＰＨＳ呼び出しエリアＩＤと、記憶部１０３に記憶されているＰＨＳ呼び出しエリアＩＤとは、不一致となる。なお、ステップＳ２０２において受信されたＰＨＳ呼び出しエリアＩＤと、記憶部１０３に記憶されているＰＨＳ呼び出しエリアＩＤとが一致する場合には、一連の動作が終了する。
【００８１】
ステップＳ２０２において受信されたＰＨＳ呼び出しエリア２２のＩＤ「２２」と、記憶部１０３に記憶されているＰＨＳ呼び出しエリア２１のＩＤ「２１」とが不一致であることに対応して、ステップＳ２０６において、ＸＧＰ基地局１Ａは、記憶部１０３に記憶されているＰＨＳ呼び出しエリア２１のＩＤ「２１」と、ステップＳ２０２において受信された無線端末３の端末ＩＤとを、ＰＨＳ位置登録サーバ３４へ送信する。
【００８２】
ここで、ＰＨＳ呼び出しエリア２１は、ＸＧＰ基地局１Ａに最も近いＰＨＳ呼び出しエリアである。したがって、ＰＨＳ呼び出しエリア２１は、ハンドオーバによって接続先がＸＧＰ基地局１Ａとなった無線端末３が存在する可能性が高いＰＨＳ呼び出しエリアである。
【００８３】
ＰＨＳ位置登録サーバ３４は、ＰＨＳ呼び出しエリア２１のＩＤ「２１」と、無線端末３の端末ＩＤとを受信する。
【００８４】
ステップＳ２０７において、ＰＨＳ位置登録サーバ３４は、ステップＳ２０６において受信された、ＰＨＳ呼び出しエリア２１のＩＤ「２１」と、無線端末３の端末ＩＤとを、記憶部２０３に記憶する。
【００８５】
また、ステップＳ２０８において、ＸＧＰ基地局１Ａは、無線端末３に対して、ＰＨＳ呼び出しエリア変更通知を送信する。このＰＨＳ呼び出しエリア変更通知には、ステップＳ２０６において送信されたＰＨＳ呼び出しエリア２１のＩＤ「２１」が含まれている。無線端末３は、ＸＧＰ基地局１ＡからのＰＨＳ呼び出しエリア変更通知を受信する。
【００８６】
更に、ステップＳ２０９において、無線端末３は、受信されたＰＨＳ呼び出しエリア２１のＩＤ「２１」を、記憶部３０３に記憶する。
【００８７】
（３）作用・効果
本発明の実施形態に係る無線通信システム１０によれば、ＸＧＰによる通信サービスを行うＸＧＰ基地局１Ａは、複数のＰＨＳ呼び出しエリアのうち、当該ＸＧＰ基地局１Ａに最も近いＰＨＳ呼び出しエリア２１のＩＤ「２１」を記憶しておく。更に、ＸＧＰ基地局１Ａは、ＸＧＰによる通信サービスを利用して通信中の無線端末３の接続先がＸＧＰ基地局１ＢからＸＧＰ基地局１Ａに切り替わった場合に、記憶しているＰＨＳ呼び出しエリア２１のＩＤ「２１」を、無線端末３が存在する可能性が高いＰＨＳ呼び出しエリアのＩＤとして、ＰＨＳ位置登録サーバ３４へ送信する。そして、ＰＨＳ位置登録サーバ３４は、このＰＨＳ呼び出しエリア２１のＩＤ「２１」を受信し、記憶する。
【００８８】
つまり、無線端末３がＸＧＰによる通信サービスを利用して通信中の場合であっても、ＰＨＳ位置登録サーバ３４は、無線端末３が存在する可能性の高いＰＨＳ呼び出しエリア２１のＩＤ「２１」を記憶することができる。
【００８９】
更には、ＰＨＳの通信サービスにおいて、無線端末３に対する着信が発生した場合、ＰＨＳセンタ装置３３内の交換機は、ＰＨＳ位置登録サーバ３４に記憶されたＰＨＳ呼び出しエリア２１のＩＤ「２１」を参照することによって、無線端末３が存在する可能性の高いＰＨＳ呼び出しエリア２１に対応するＰＨＳ基地局２Ａ及び２Ｂに対して、呼び出しを要求することができるようになり、無線端末３は、着信を受けることができる。
【００９０】
また、本発明の実施形態に係る無線通信システム１０によれば、ＸＧＰ基地局１Ａは、ＰＨＳ位置登録サーバ３４へ送信したＰＨＳ呼び出しエリア２１のＩＤ「２１」を、無線端末３にも送信する。
【００９１】
このため、無線端末３は、当該無線端末３が存在する可能性の高いＰＨＳ呼び出しエリア２１を認識することができる。
【００９２】
また、本発明の実施形態に係る無線通信システム１０によれば、ＸＧＰ基地局１Ａは、無線端末３に記憶されているＰＨＳ呼び出しエリア２２のＩＤ「２２」と、記憶部１０３に記憶されているＰＨＳ呼び出しエリア２１のＩＤ「２１」とが不一致であることに対応して、記憶部１０３に記憶されているＰＨＳ呼び出しエリア２１のＩＤ「２１」をＰＨＳ位置登録サーバ３４へ送信する。
【００９３】
ＸＧＰ基地局１Ａが記憶しているＰＨＳ呼び出しエリアＩＤと、無線端末３に記憶されているＰＨＳ呼び出しエリアのＩＤとが一致する場合には、ＸＧＰ基地局１Ａは、既に、記憶しているＰＨＳ呼び出しエリアＩＤをＰＨＳ位置登録サーバ３４へ送信済みであるとともに、無線端末３へ通知済みであり、再度、ＰＨＳ位置登録サーバ３４への送信の必要はない。
【００９４】
したがって、ＸＧＰ基地局１Ａは、当該ＸＧＰ基地局１Ａが記憶しているＰＨＳ呼び出しエリアＩＤと、無線端末３が記憶しているＰＨＳ呼び出しエリアＩＤとが異なる場合にのみ、ＸＧＰ基地局１Ａが記憶している第２呼び出しエリアＩＤを登録装置へ送信することで、不要な送信を減らし、処理負担の軽減と、回線の有効利用とを図ることが可能となる。
【００９５】
また、本発明の実施形態に係る無線通信システム１０によれば、ＸＧＰ基地局１Ａは、周辺のＰＨＳ基地局２Ａ乃至２Ｃからの、当該ＰＨＳ基地局２Ａ乃至２Ｃに対応するＰＨＳ呼び出しエリアのＩＤを受信、記憶する。更には、本発明の実施形態に係る無線通信システム１０によれば、複数のＰＨＳ呼び出しエリアＩＤが受信された場合には、受信時の電力が最も大きいＰＨＳ呼び出しエリアＩＤを記憶する。
【００９６】
したがって、ＸＧＰ基地局１Ａは、当該ＸＧＰ基地局１Ａの周辺のＰＨＳ呼び出しエリアのＩＤを受信、記憶することが可能となる。また、ＸＧＰ基地局１Ａは、受信した複数のＰＨＳ呼び出しエリアＩＤのうち、受信時の電力が最も大きいＰＨＳ呼び出しエリアＩＤを記憶することにより、ＸＧＰ基地局１Ａに最も近いＰＨＳ呼び出しエリアのＩＤを記憶することが可能となる。
【００９７】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる  上述した実施形態では、ＸＧＰ基地局１Ａが、ＰＨＳ呼び出しエリアＩＤを取得し、無線端末３においてＸＧＰ基地局１ＢからＸＧＰ基地局１Ａへのハンドオーバが発生したことに応じて、ＰＨＳ呼び出しエリアＩＤをＰＨＳ位置登録サーバ３４へ送信したが、ＸＧＰ基地局１Ｂが、ＰＨＳ呼び出しエリアＩＤを取得し、無線端末３においてＸＧＰ基地局１ＡからＸＧＰ基地局１Ｂへのハンドオーバが発生したことに応じて、ＰＨＳ呼び出しエリアＩＤをＰＨＳ位置登録サーバ３４へ送信してもよい。
【００９８】
また、ＰＨＳ基地局２Ａ乃至２Ｃの何れかが、ＸＧＰ基地局１Ａ及び１ＢからのＸＧＰ呼び出しエリアＩＤを取得し、無線端末３におけるＰＨＳの通信サービスでのハンドオーバが発生したことに応じて、ＸＧＰ呼び出しエリアＩＤをＸＧＰ位置登録サーバ２４へ送信してもよい。
【００９９】
更には、上述した実施形態では、無線通信システム１０は、ＸＧＰによる通信サービスと、ＰＨＳによる通信サービスとを行うが、ＸＧＰ及びＰＨＳの組み合わせでない２つの通信方式による通信サービスを行う場合にも、本発明を適用することができる。
【０１００】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１０１】
【図１】本発明の実施形態に係る無線通信システムの各部の配置を示す図である。
【図２】本発明の実施形態に係る無線通信システムの全体概略構成図である。
【図３】本発明の実施形態に係るＸＧＰ基地局の概略構成図である。
【図４】本発明の実施形態に係るＸＧＰ基地局における制御部の機能ブロック構成図である。
【図５】本発明の実施形態に係るＰＨＳ位置登録サーバの全体概略構成図である。
【図６】本発明の実施形態に係るＰＨＳ位置登録サーバにおける制御部の機能ブロック図である。
【図７】本発明の実施形態に係る無線端末の全体概略構成図である。
【図８】本発明の実施形態に係る無線通信システムにおいて、ＸＧＰ基地局がＰＨＳ呼び出しエリアＩＤを取得する際の動作を示すシーケンス図である。
【図９】本発明の実施形態に係る無線通信システムにおいて、ＰＨＳ位置登録サーバがＸＧＰ基地局からのＰＨＳ呼び出しエリアＩＤを登録する際の動作を示すシーケンス図である。
【符号の説明】
【０１０２】
１Ａ、１Ｂ…ＸＧＰ基地局、２Ａ〜２Ｃ…ＰＨＳ基地局、３…無線端末、５Ａ、５Ｂ…ＸＧＰセル、７Ａ〜７Ｃ…ＰＨＳセル、２３…ＸＧＰセンタ装置、２４…ＸＧＰ位置登録サーバ、３０…有線回線、３３…ＰＨＳセンタ装置、３４…ＰＨＳ位置登録サーバ、１０２…制御部、１０３…記憶部、１０４…有線通信部、１０６…無線通信部、１０８…アンテナ、１５２…呼び出しエリアＩＤ要求部、１５４…呼び出しエリアＩＤ受信部、１５６…受信電力測定部、１５８…書き込み部、１６０…ハンドオーバ判定部、１６２…読み出し部、１６４…呼び出しエリアＩＤ送信部、１６６…呼び出しエリアＩＤ通知部、２０２…制御部、２０３…記憶部、２０４…有線通信部、２５２…呼び出しエリアＩＤ受信部、２５４…書き込み部、３０２…制御部、３０３…記憶部、３０６デュアルバンド無線通信部、３０８…アンテナ
【図１】
2010130149.tif 000003
【図２】
2010130149.tif 000004
【図３】
2010130149.tif 000005
【図４】
2010130149.tif 000006
【図５】
2010130149.tif 000007
【図６】
2010130149.tif 000008
【図７】
2010130149.tif 000009
【図８】
2010130149.tif 000010
【図９】
2010130149.tif 000011